(57)【要約】      （修正有）【課題】変色を生じることなく長期的に安定して使用可能な葬具を提供する。【解決手段】この考案に係る葬具としての盛物台８は、３本の白竹製の脚部８１を一対の盛物載置部８４により連結した構成を有する。３本の脚部８１のうち２本の脚部８１の上部には、細い白竹８５を湾曲させるとともに、その内部の領域に白竹製の薄板部材８６を網目状に配設した飾り部が配設されている。３本の脚部８１における節部８２の間の領域および節部８２の上部の領域には、脚部８１を外周部より巻回する巻回部材８３が配設されている。この巻回部材８３は、白竹製の薄板状部材から構成され、脚部８１の外周部に接着される。この巻回部材８３は、脚部８１に割れが生ずることを防止する作用を奏する。【選択図】図５
0003206501.tif 000002
【実用新案登録請求の範囲】
【請求項１】
葬儀用の祭壇とともに使用される葬具であって、
その主要部を白竹で構成したことを特徴とする葬具。
【請求項２】
請求項１に記載の葬具において、
前記白竹は、青竹を油抜きした後、乾燥させることにより製造される葬具。
【請求項３】
請求項１または請求項２に記載の葬具において、
前記白竹における節部間の領域を外周部より巻回する巻回部材を有する葬具。
【請求項４】
請求項３に記載の考案において、
前記巻回部材は白竹製の薄板状部材から構成され、当該薄板状部材を白竹における節部間の領域に接着してなる葬具。
【考案の詳細な説明】
【技術分野】
【０００１】
この考案は、祭壇に使用される葬具に関する。
【背景技術】
【０００２】
祭壇に使用される葬具は、従来、木製のものが主流であった。これに対して、天然の竹材である青竹またはこの青竹を乾燥したものを利用した葬具も提案されている（特許文献１参照）。
【先行技術文献】
【特許文献】
【０００３】
【特許文献１】特開２００１−２２５５９６号公報
【考案の概要】
【考案が解決しようとする課題】
【０００４】
葬具に青竹を使用した場合においては、乾燥により割れを生じやすいという問題がある。また、青竹は、経時的に変色するという問題も生ずる。
【０００５】
この考案は上記課題を解決するためになされたものであり、変色を生じることなく長期的に安定して使用可能な葬具を提供することを目的とする。
【課題を解決するための手段】
【０００６】
請求項１に記載の考案は、葬儀用の祭壇とともに使用される葬具であって、その主要部を白竹で構成したことを特徴とする。
【０００７】
請求項２に記載の考案は、請求項１に記載の考案において、前記白竹は、青竹を油抜きした後、乾燥させることにより製造される。
【０００８】
請求項３に記載の考案は、請求項１または請求項２に記載の考案において、前記白竹における節部間の領域を外周部より巻回する巻回部材を有する。
【０００９】
請求項４に記載の考案は、請求項３に記載の考案において、前記巻回部材は白竹製の薄板状部材から構成され、当該薄板状部材を白竹における節部間の領域に接着してなる。
【考案の効果】
【００１０】
請求項１および請求項２に記載の考案によれば、主要部を白竹で構成したことから、変色を生じることなく長期的に安定して使用することが可能となる。
【００１１】
請求項３および請求項４に記載の考案によれば、巻回部材の作用により、節部間の領域に割れが生ずることを防止することが可能となる。
【図面の簡単な説明】
【００１２】
【図１】この考案に係る葬具を祭壇３等とともに示す正面概要図である。
【図２】この考案に係る葬具としての香炉４の斜視図である。
【図３】この考案に係る葬具としての位牌台５と、この考案に係る葬具としての一対の光悦型匂欄７とを示す斜視図である。
【図４】燭台６の斜視図である。
【図５】盛物台８の斜視図である。
【考案を実施するための形態】
【００１３】
以下、この考案の実施の形態を図面に基づいて説明する。図１は、この考案に係る葬具を祭壇３等とともに示す正面概要図である。
【００１４】
祭壇３の上には、遺影１０と、この考案に係る葬具としての位牌台５、一対の燭台６、一対の光悦型匂欄７、一対の盛物台８とが載置されている。祭壇３の前方には、棺２が載置され、そのさらに前方には、焼香台１が載置されている。焼香台１の上には、この考案に係る葬具としての香炉４が載置されている。祭壇３、棺２および焼香台１は、白木より構成されている。
【００１５】
図２は、この考案に係る葬具としての香炉４の斜視図である。
【００１６】
この香炉４は、白竹より構成される本体４１における節部４２間に開口部４４を形成した構成を有する。本体４１における一対の節部４２間の外周部には、紐４５が配設されている。この紐４５は、白竹製の脚部４３に係合することにより、本体４１を外周部から巻回する構成を有する。この紐４５は、この考案に係る巻回部材として機能するものであり、本体４１に割れが生ずることを防止する作用を奏する。
【００１７】
図３は、この考案に係る葬具としての位牌台５と、この考案に係る葬具としての一対の光悦型匂欄７とを示す斜視図である。
【００１８】
位牌台５は、白竹製の本体５１の端部と上部に、各々、一対の細い白竹５２、５３を配設した構成を有する。この位牌台５上には、位牌９が載置される。また、一対の光悦型匂欄７は、各々、立位状態に配置される一対の太い白竹７１、７４を細い白竹７５で連結した支持部と、白竹７１から横方向に延びる湾曲した白竹７２と、白竹７１から横方向に延びる細い白竹７３とを有する。白竹７１、７２、７３により囲まれる領域には、白竹製の薄板部材７６が網目状に配設されている。
【００１９】
図４は、燭台６の斜視図である。
【００２０】
この燭台６は、白竹製の本体６１の下方を三分割し、湾曲させて脚部６４とするとともに、これらの脚部６４の中央に、白竹を輪切りした筒状体６５を配設した構成を有する。本体６１上には金属製の飾り部材６６が配設され、その上方には蝋燭６７が配置される。また、本体６１における節部６２の下方の領域には、本体６１を外周部より巻回する巻回部材６３が配設されている。この巻回部材６３は、白竹製の薄板状部材から構成され、本体６１の外周部に接着される。この巻回部材６３は、本体６１に割れが生ずることを防止する作用を奏する。
【００２１】
図５は、盛物台８の斜視図である。
【００２２】
この盛物台８は、３本の白竹製の脚部８１を一対の盛物載置部８４により連結した構成を有する。３本の脚部８１のうち２本の脚部８１の上部には、細い白竹８５を湾曲させるとともに、その内部の領域に白竹製の薄板部材８６を網目状に配設した飾り部が配設されている。３本の脚部８１における節部８２の間の領域および節部８２の上部の領域には、脚部８１を外周部より巻回する巻回部材８３が配設されている。この巻回部材８３は、白竹製の薄板状部材から構成され、脚部８１の外周部に接着される。この巻回部材８３は、脚部５１に割れが生ずることを防止する作用を奏する。
【００２３】
なお、図５に示すように、巻回部材８３は、盛物台８の脚部８１における節部８２の間の領域および節部８２の上部の領域に配設される。この節部８２の上部の領域は、盛物台８の製造前においては、節部の間となる領域である。この考案に係る節部間の領域とは、葬具の製造後だけではなく、その製造前に節部の間であった領域を含む概念である。
【００２４】
上述したこの考案に係る葬具としての香炉４、位牌台５、燭台６、光悦型匂欄７および盛物台８の主要部を構成する白竹は、青竹を苛性ソーダによって煮沸し、煮沸後の白竹を火であぶり布で拭き取ることにより油抜きし、しかる後、曲がりを強制して乾燥することにより製造される。
【００２５】
以上のように、この考案に係る葬具は、その主要部を白竹で構成したことから、変色を生じることなく長期的に安定して使用することが可能となる。
【符号の説明】
【００２６】
４      香炉
５      位牌台
６      燭台
７      光悦型匂欄
８      盛物台
４５    紐
６３    巻回部材
８３    巻回部材
【図１】
0003206501.tif 000003
【図２】
0003206501.tif 000004
【図３】
0003206501.tif 000005
【図４】
0003206501.tif 000006
【図５】
0003206501.tif 000007
【手続補正書】
【提出日】平成28年7月13日(2016.7.13)
【手続補正１】
【補正対象書類名】実用新案登録請求の範囲
【補正対象項目名】全文
【補正方法】変更
【補正の内容】
【実用新案登録請求の範囲】
【請求項１】
葬儀用の祭壇とともに使用される葬具であって、
本体を白竹で構成したことを特徴とする葬具。
【請求項２】
請求項１に記載の葬具において、
前記白竹は、青竹を油抜きした後、乾燥させることにより製造される葬具。
【請求項３】
請求項１または請求項２に記載の葬具において、
前記白竹における節部間の領域を外周部より巻回する巻回部材を有する葬具。
【請求項４】
請求項３に記載の葬具において、
前記巻回部材は白竹製の薄板状部材から構成され、当該薄板状部材を白竹における節部間の領域に接着してなる葬具。
【手続補正２】
【補正対象書類名】明細書
【補正対象項目名】０００６
【補正方法】変更
【補正の内容】
【０００６】
請求項１に記載の考案は、葬儀用の祭壇とともに使用される葬具であって、本体を白竹で構成したことを特徴とする。
【手続補正３】
【補正対象書類名】明細書
【補正対象項目名】００１０
【補正方法】変更
【補正の内容】
【００１０】
請求項１および請求項２に記載の考案によれば、本体を白竹で構成したことから、変色を生じることなく長期的に安定して使用することが可能となる。